(57)【要約】【課題】インフルエンザ感染予防や花粉対策・防塵用等に用いる一般の使い捨てマスクは、口と鼻を同時に覆っているため、口や鼻の双方から吐き出された湿気を帯び口臭を含んだ息でマスク内の環境はいちじるしく悪くなり、窒息感と不快感を感じるという問題点があった。【解決手段】例えば図１０の場合、マスク本体１内側の鼻と口の間に当接する部分に鼻より高い棒状の仕切りパッド２を備え、口の周りの空間と鼻の周りの空間を分離する事で、呼吸時の不快感を軽減するものとし、さらに、仕切りパッド２の上部面に、鼻孔に挿入可能な突起部４０を有した突起型吸水シート３９を設けたことにより、鼻水や鼻血の流出を阻止できる。【選択図】図１０
2011030809.tif 000002
【特許請求の範囲】
【請求項１】
マスク本体と上記マスク本体を所定の位置に支持するための支持体を備え、上記マスク本体の内面に、鼻の周りの空間と口の周りの空間を分離するための仕切りパッドを形成した事を特徴とするマスク。
【請求項２】
仕切りパッドのマスク本体に接する面と、前記マスク本体の内面に面ファスナーがそれぞれ設けられ、上記マスク本体と仕切りパッドとが着脱可能である事を特徴とする請求項１記載のマスク。
【請求項３】
仕切りパッドの上面に、吸水シートを備えた事を特徴とする請求項１及び2記載のマスク。
【請求項４】
接着すべき面に粘着両面テープを設けマスク本体内面に接着して、上記マスク内面の空間を二分するように構成した事を特徴とするマスク用仕切りパッド。
【発明の詳細な説明】
【技術分野】
【０００１】
本発明は、防塵・インフルエンザ感染・花粉等の予防に用いるマスク及びマスク用仕切りパッドに関する。
【背景技術】
【０００２】
従来の一般の使い捨てマスクは鼻と口を同時に覆うため、マスク内では口から吐き出された息を鼻から吸うことになり、息苦しくなるという不快感がある。また、鼻と頬の隙間から吐き出された息により眼鏡が曇る。その不快感を少しでも改善するために、特許文献１に示すものでは、マスク内の空間が大きく保たれ、口元の自由感があり、口を動かしても違和感のない空間が保たれ、呼吸しやすいようになっている。特許文献２に示すものでは、マスク内で吐く息がマスク上部から抜け出し眼鏡が曇らないように鼻の凹凸をカバーするパッドが取り付けられている。
【０００３】
【特許文献１】特開２００５−０９５３７０  使い捨てマスク
【特許文献２】特開２００７−１８５４７０  使い捨てマスクパッド
【０００４】
しかしながら、文献１・文献２の方法では、マスク本体が、口を覆う部分と鼻を覆う部分が共通空間であるため、口や鼻双方から吐き出された息でマスク内の環境はいちじるしく悪くなり、窒息感と不快感を感じるという問題点がある。
【発明の開示】
【発明が解決しようとする課題】
【０００５】
本発明はこのような課題を解決し、快適に着用できるマスク及びマスク用仕切りパッドを提供しようとするものである。
【課題を解決するための手段】
【０００６】
以上の課題を解決するために、第１の発明は、マスク本体の内側に、鼻の周りの空間と口の周りの空間を分離するための、仕切りパッドを形成した。
【０００７】
第２の発明は、第１の発明において、仕切りパッドのマスク本体に接する面と、前記マスク本体の内面に面ファスナーがそれぞれ設けられ、上記マスク本体と仕切りパッドとが着脱可能に構成した。
【０００８】
第３の発明は、第１〜２の発明において仕切りパッド上面に、吸水シートを備えた。
【０００９】
第４の発明は、接着すべき面に粘着両面テープを設けマスク本体内面に接着して、上記マスク内面の空間を二分するように構成したマスク用仕切りパッド。
【発明の効果】
【００１０】
請求項１記載の発明によれば、口の周りの空間と鼻の周りの空間が、マスク内側に設けた仕切りパッドにより分離されるため、口から吐いた息を鼻から吸い込まなくて良く快適に装着出来る。
【００１１】
また、口から吐いた湿度を含んだ温かい息がマスク上部から上のほうに抜けにくいため、眼鏡が曇りにくくなるという効果がある。
【００１２】
また、本発明のマスクを装着すれば、高さのある仕切りパットがクッションとなり、不慮の衝撃から前歯や鼻を僅かながら守ることが出来えると考えられる。
【００１３】
請求項２記載の発明によれば、マスク内側に仕切りパッドの必要性を感じない使用者にも必要性を感じる使用者にも、仕切りパッドの着脱で簡単に対応できる。また、仕切りパッドが汚れた場合にも仕切りパッドのみを簡単に交換できる。
【００１４】
請求項３記載の発明によれば、水鼻や鼻血等の流出を仕切りパット上部に設けた吸水シートにて吸収することができる。
【００１５】
請求項４の発明によれば、接着すべき面に設けた粘着両面テープにより、不織布で作られた使い捨てマスクやガーゼで作られた手作りマスク等、様々なマスクの内面にマスク用仕切りパッドを容易に接着し装着することが出来るので、仕切りパッドのないマスクを仕切りパッド付きマスクとして使用する事が可能になる。
【発明を実施するための形態】
【００１６】
以下、本発明の実施するための形態を図１〜図10に基づいて具体的に説明する。
【００１７】
図１は、本発明の一実施例におけるマスクの斜視図である。
図２は、同、マスク装着時の断面図である。
図１〜図２において、１はマスク本体で、防塵・インフルエンザ感染・花粉等予防のそれぞれの目的に合わせたフィルター機能を有し、かつ、全体は肌に優しい布状の素材からなり、マスク本体１内側中央部の、使用者の鼻と口の間に対向する部分に、少なくとも鼻の高さより高く柔軟なスポンジ等の肌に優しい素材よりなる棒状の仕切りパッド２を、粘着材３により、マスク本体１の両端にわたって接着し、マスク本体１の内側に形成される空間を上下に分離できるよう構成されている。４は上記マスク本体１を顔面の鼻と口の所定の位置に支持するための掛け紐であり、掛け紐４の両端はそれぞれマスク本体１の両端部に固定されている。掛け紐４により、マスク本体１を顔面の鼻と口を覆うように装着し、図２に示すように、仕切りパッド２を鼻と口の間に当るようにして着用する。
【００１８】
図３・図４及び図５は、マスク本体に仕切りパッドを着脱可能に構成した実施例を示すものである。
図３において、マスク本体１１の内側の鼻と口の間に当る部分に面ファスナー１６が一端から他端にわたって接着等により固定されている。
図４は、本実施例の仕切りパッドを示すものであり、仕切りパッド１２のマスク本体１１に接着すべき背面部に面ファスナー１５が接着されており、仕切りパッド１２の面ファスナー１５を図３に示すマスク本体１１の面ファスナー１６に押圧して接着することにより、図１の実施例と同様のマスクパッドの付いたマスクを構成できる。
【００１９】
図５は、この実施例で構成したマスクを装着した状態を示すものである。
この実施例では、マスク本体１１に、仕切りパッド１２を装着しないでそのまま装着する事も出来、また、仕切りパッド１２が汚れた場合、汚れた仕切りパッド１２をマスク本体１１から外し新しい仕切りパッド１２と交換する事も出来る。
【００２０】
図６は、仕切りパッドを接着するように構成されていないマスクに取り付け可能にした仕切りパットの実施例を示すものである。
２２は使用者の鼻と口の間に当接する仕切りパッドで、仕切りパッド２２の片面、マスクに押圧し接着する側に粘着両面テープ粘着材２３を備え、仕切りパッドの付いていないマスクの内側面に、仕切りパッド２２に粘着両面テープ剥がしシート２４を剥がし、マスクの内側に押圧して接着する。マスクパッドの付いたマスクを持たなくても、マスクパッドの付いていないマスクに安易に仕切りパッド２２を装着する事ができ、図１の実施例と同様のマスクパッドの付いたマスクを構成できる。
【００２１】
図７は、図１の実施例における仕切りパッドに吸水シートを取り付けた実施例を示すものであり、仕切りパッド２の上面すなわち鼻の孔に対向する部分に、吸水シート３８が接着材３３により固定されている。風邪の症状等で鼻水が出た場合や、鼻血が出た場合でも、この吸水シート３８が吸収してくれるので、マスクを外してティッシュ等を取り出し鼻水を拭く手間が無く、不意に流れる水鼻の流出を、鼻孔下部に当てた吸水シート３８で阻止出来るため口元に鼻水が流れていくのを防ぐ事が出来る。
【００２２】
ここで、吸水シート３８の素材は、吸収性の高い紙質の物・高吸収ポリマー等、尿取りパッドに使用されている素材や、生理用ナフキンに使用されている素材を用いる。
図８は、同、マスクの装着時の断面図である。
【００２３】
図９は、突起部を設けた突起型吸水シートを示し、鼻の孔に挿入できる太さの突起部４０を有した突起型吸水シート３９を粘着両面テープ等の接着材３３により仕切りパッド２の上面に接着したものである。この突起部４０を鼻孔に挿入し装着することにより鼻孔に栓をする事になり、鼻からの鼻水や鼻血が流れ出しにくくすることが出来る。
図１０は、同突起型吸水シート３９を設けたマスクの装着時の断面図である。
【００２４】
ここで、突起型吸水シート３９の突起部４０の太さは、子どもや大人の鼻の孔のサイズに合わせ、それぞれ挿入できる大きさに合わせたものとする。
【００２５】
さらに、突起部４０の太さは、子どもや大人の鼻の穴のサイズに合わせそれぞれに挿入できる大きさでも良いが、細い突起部４０を備えた突起型吸水シート３９に、水や血液の吸収機能を持つ薄い紙状の物を巻きつけ、太さを自由自在に変える事も出来る。
【００２６】
上記の実施例において、仕切りパッド２・１２・２２の形状は、ここでは棒状の角柱型としているが、顔にフィットし、フィルター効果のある形状であれば弓型、半月型でもよい。ただしこの場合でも、鼻と口の間に当接する部分は、呼吸を阻止しない形状とし、ここでは平らな型とし、あくまで鼻や口に密着して呼吸を遮るものは絶対不可とする。
【００２７】
上記の実施例において、仕切りパッド２・１２・２２は、活性炭などの防臭効果のあるものを使用することでき、クリーンな空気を提供することが出来る。
【００２８】
上記の実施例において、仕切りパッド２・１２・２２や吸水シート３８・３９等は、ハッカの匂いや香水の匂い等、好みの香りを付着し使用することができるとし、仕切りパッド２・１２・２２を備えたマスクの使用中、好みの香りでひと時を過ごすことができる。
【００２９】
上記の実施例において、仕切りパット２・１２・２２で誤って鼻を塞がないように、鼻と口の間に当接する側の仕切りパッド２・１２・２２の面に、身体に優しい粘着材や粘着テープ等接着材や滑り止めゴム等を、鼻と口の間に当接する部分に設けることも可能である。
【００３０】
上記の実施例において、マスク本体１の輪郭形状は顔面に沿い、マスク本体１の両端と顔の周りには不要な隙間が出来ないよう、端部に段差や凹凸が少ないものが望ましい。
【００３１】
なお、仕切りパッド２・１２及びマスク用仕切りパッド２２を取り付ける方法として、マスク本体１の両端に仕切りパッド２・１２・２２の両端部をクリップや縫合等で固定させ、より強固に取り付けることも出来る。
【００３２】
上記の実施例において、少なくとも鼻の高さほどある仕切りパッド２・１２・２２を設けることにより、マスク本体１・１１内側に、マスク本体１・１１と口との空間が保たれるため、唇が直接触れる事が無くなり、唇に塗った口紅などの付着を防ぎ、マスクを取り外した時に汚れが付いていないので、不快な思いをしない。
【図面の簡単な説明】
【００３３】
【図１】図１は、本発明のマスクの一例を示す斜視図である。
【図２】図２は、同、マスク装着時の断面図である。
【図３】図３は、マスク本体内側面に、面ファスナーを設けた仕切りパッド装着前のマスク内面斜視図である
【図４】図４は、面ファスナーを設けた仕切りパッドの斜視図である。
【図５】図５は、上記実施例のマスク着用時の断面図である。
【図６】図６は、仕切りパッドに粘着両面テープを設け、同、両面テープ剥がしシートをめくっている図である。
【図７】図７は、本発明のマスクの一例を示す図に、吸水シートを設けた斜視図である。
【図８】図８は、上記実施例のマスク着用時の断面図である。
【図９】図９は、突起型吸水シートの斜視図である。
【図１０】図１０は、上記実施例のマスク着用時の断面図である。
【符号の説明】
【００３４】
１・１１  マスク本体
２・１２・２２  仕切りパッド
３  粘着材
４  掛け紐
１５・１６  面ファスナー
２３・３３  粘着両面テープ等の接着材
２４  粘着両面テープ剥がしシート
３８  吸水シート
３９  突起型吸水シート
４０  突起部
【図１】
2011030809.tif 000003
【図２】
2011030809.tif 000004
【図３】
2011030809.tif 000005
【図４】
2011030809.tif 000006
【図５】
2011030809.tif 000007
【図６】
2011030809.tif 000008
【図７】
2011030809.tif 000009
【図８】
2011030809.tif 000010
【図９】
2011030809.tif 000011
【図１０】
2011030809.tif 000012